(57)【特許請求の範囲】
【請求項１】
建物の外周部分に設けられた外周立ち上がり部と基礎スラブとを有するべた基礎の前記外周立ち上がり部の外側面及び基礎スラブの外側面に内側面が密着し、且つ、前記基礎スラブの下方に施工された捨てコンクリートの上面に下面が密着した断熱材の内部をシロアリが通過して軸組及び床組へ侵入するのを物理的に防止する建物の防蟻構造であって、
前記断熱材の外側面の前記捨てコンクリートと密着する下縁から少なくとも地上の所定高さまでの範囲を、前記シロアリの分泌物に耐性の耐腐食性材料で構成されたシート材で被覆したことを特徴とする建物の防蟻構造。
【請求項２】
建物の外周部分に設けられた外周立ち上がり部と基礎スラブとを有するべた基礎の少なくとも前記外周立ち上がり部の外側面に密着した断熱材の内部をシロアリが通過して軸組及び床組へ侵入するのを物理的に防止する建物の防蟻構造であって、
前記断熱材のべた基礎に密着しない面のこのべた基礎又は前記基礎スラブの下方に施工された捨てコンクリートと密着する下縁から少なくとも地上の所定高さまでの範囲を、前記シロアリの分泌物に耐性の耐腐食性材料で構成されたシート材で被覆すると共に、少なくとも前記シート材の下縁部とべた基礎又は捨てコンクリートとの隅角部に、少なくともセメントと細骨材とを含有する表面材を塗布したことを特徴とする建物の防蟻構造。
【請求項３】
建物の基礎スラブの外側面に密着した断熱材の内部をシロアリが通過して、前記基礎スラブ上に設置された軸組及び床組へ侵入するのを物理的に防止する建物の防蟻構造であって、
前記断熱材の基礎スラブに密着しない面のこの基礎スラブ又は基礎スラブの下方に施工された捨てコンクリートと密着する下縁から少なくとも地上の所定高さまでの範囲を、前記シロアリの分泌物に耐性の耐腐食性材料で構成されたシート材で被覆すると共に、少なくとも前記シート材の下縁部と基礎スラブ又は捨てコンクリートとの隅角部に、少なくともセメントと細骨材とを含有する表面材を塗布したことを特徴とする建物の防蟻構造。
【請求項４】
建物の外周部分に施工された布基礎の立ち上がり部の外側面又は内側面に密着した断熱材の内部をシロアリが通過して軸組及び床組へ侵入するのを物理的に防止する建物の防蟻構造であって、
前記断熱材の布基礎に密着しない面のこの布基礎と密着する下縁から少なくとも地上の所定高さまでの範囲を、前記シロアリの分泌物に耐性の耐腐食性材料で構成されたシート材で被覆すると共に、少なくとも前記シート材の下縁部と布基礎との隅角部に、少なくともセメントと細骨材とを含有する表面材を塗布したことを特徴とする建物の防蟻構造。
【請求項５】
前記シート材が、少なくともいずれかの方向において前記シロアリの頭部横断面における最大寸法の２倍以下の寸法である複数のアンカー孔を有することを特徴とする請求項１乃至４のいずれか記載の建物の防蟻構造。
【請求項６】
前記表面材を、前記隅角部から少なくとも前記シート材の上縁部までの範囲に塗布したことを特徴とする請求項２乃至５のいずれか記載の建物の防蟻構造。
【請求項７】
前記表面材を、前記隅角部から前記断熱材の外側面の上縁までの範囲に塗布したことを特徴とする請求項６記載の建物の防蟻構造。
【発明の詳細な説明】
【０００１】
【発明の属する技術分野】
この発明は、建物の断熱基礎に使用される断熱材の内部をシロアリが通過して軸組や床組へ侵入するのを物理的に防止する建物の防蟻構造に関する。
【０００２】
【従来の技術】
建物における従来のシロアリ防除技術としては、例えば、(1) 建物の床下の地盤（土壌）と、地面から１ｍ以内の木部とを薬剤で処理する方法や、(2) シロアリの活動をモニタリングしながら、侵入してきたシロアリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、シロアリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、シロアリの分泌物に耐性で且つ少なくとも約７０のショア硬度を有する耐腐食性材料の編み目シートからなり、この編み目の孔がいずれの方向においても制御すべきシロアリ種の頭部横断面の最大寸法より小径であるシロアリバリアー材等がある。
【０００６】
【発明が解決しようとする課題】
しかしながら、上記のような従来例(3) においては、断熱基礎等に使用される断熱材をシロアリによる食害から保護することについては開示されていない。
【０００７】
この発明は、以上のような問題点に鑑みてなされたものであり、断熱基礎に使用される断熱材をシロアリによる食害から保護できる建物の防蟻構造を提供することを目的とする。
【０００８】
【課題を解決するための手段】
上記目的を達成するための手段とするところは、第１に、建物の外周部分に設けられた外周立ち上がり部と基礎スラブとを有するべた基礎の前記外周立ち上がり部の外側面及び基礎スラブの外側面に内側面が密着し、且つ、前記基礎スラブの下方に施工された捨てコンクリートの上面に下面が密着した断熱材の内部をシロアリが通過して軸組及び床組へ侵入するのを物理的に防止する建物の防蟻構造であって、前記断熱材の外側面の前記捨てコンクリートと密着する下縁から少なくとも地上の所定高さまでの範囲を、前記シロアリの分泌物に耐性の耐腐食性材料で構成されたシート材で被覆したことにある。
【０００９】
第２に、建物の外周部分に設けられた外周立ち上がり部と基礎スラブとを有するべた基礎の少なくとも前記外周立ち上がり部の外側面に密着した断熱材の内部をシロアリが通過して軸組及び床組へ侵入するのを物理的に防止する建物の防蟻構造であって、前記断熱材のべた基礎に密着しない面のこのべた基礎又は前記基礎スラブの下方に施工された捨てコンクリートと密着する下縁から少なくとも地上の所定高さまでの範囲を、前記シロアリの分泌物に耐性の耐腐食性材料で構成されたシート材で被覆すると共に、少なくとも前記シート材の下縁部とべた基礎又は捨てコンクリートとの隅角部に、少なくともセメントと細骨材とを含有する表面材を塗布したことにある。
【００１０】
第３に、建物の基礎スラブの外側面に密着した断熱材の内部をシロアリが通過して、前記基礎スラブ上に設置された軸組及び床組へ侵入するのを物理的に防止する建物の防蟻構造であって、前記断熱材の基礎スラブに密着しない面のこの基礎スラブ又は基礎スラブの下方に施工された捨てコンクリートと密着する下縁から少なくとも地上の所定高さまでの範囲を、前記シロアリの分泌物に耐性の耐腐食性材料で構成されたシート材で被覆すると共に、少なくとも前記シート材の下縁部と基礎スラブ又は捨てコンクリートとの隅角部に、少なくともセメントと細骨材とを含有する表面材を塗布したことにある。
【００１１】
第４に、建物の外周部分に施工された布基礎の立ち上がり部の外側面又は内側面に密着した断熱材の内部をシロアリが通過して軸組及び床組へ侵入するのを物理的に防止する建物の防蟻構造であって、前記断熱材の布基礎に密着しない面のこの布基礎と密着する下縁から少なくとも地上の所定高さまでの範囲を、前記シロアリの分泌物に耐性の耐腐食性材料で構成されたシート材で被覆すると共に、少なくとも前記シート材の下縁部と布基礎との隅角部に、少なくともセメントと細骨材とを含有する表面材を塗布したことにある。
【００１２】
第５に、前記シート材が、少なくともいずれかの方向において前記シロアリの頭部横断面における最大寸法の２倍以下の寸法である複数のアンカー孔を有することにある。
【００１３】
第６に、前記表面材を、前記隅角部から少なくとも前記シート材の上縁部までの範囲に塗布したことにある。
【００１４】
第７に、前記表面材を、前記隅角部から前記断熱材の外側面の上縁までの範囲に塗布したことにある。
【００１５】
【発明の実施の形態】
以下、この発明の実施形態を図面に基づいて説明する。
図１乃至図４に示すように、第１実施形態に係る建物Ａの防蟻構造は、例えば、建物Ａの外周部分に設けられた外周立ち上がり部１と基礎スラブ２とを有するべた基礎３の前記外周立ち上がり部１の外側面１ａ及び基礎スラブ２の外側面２ａに内側面４ｂが密着し、且つ、前記基礎スラブ２の下方に施工された捨てコンクリート５の上面５ｃに下面４ｄが密着した断熱材４の内部をシロアリ６が通過して軸組Ｂ及び床組Ｃへ侵入するのを物理的に防止するものであって、前記断熱材４の外側面４ａの前記捨てコンクリート５と密着する下縁４ｆから地上の所定高さＬまでの範囲をステンレスメッシュ（シート材）７で被覆すると共に、このステンレスメッシュ７の下縁部７ｄと捨てコンクリート５との隅角部８から前記断熱材４の外側面４ａの上縁４ｅまでの範囲にモルタル（表面材）９を塗布したものである。
【００１６】
前記べた基礎３は、図１及び図２に示すように、建物Ａの外周部分に平面視で例えば矩形状等に施工された外周立ち上がり部１と、例えば外周部分が厚肉とされた基礎スラブ２とを有している。また、この基礎スラブ２の下方には、必要に応じて基礎スラブ２よりも広い範囲で捨てコンクリート５が施工されている。
【００１７】
なお、外周立ち上がり部１の内方には、この実施形態のような間仕切として連続的に施工された立ち上がり部１０の他、独立の柱状体等を施工してもよい。また、基礎スラブ２の形状や施工高さも、特に限定されるものではなく、例えば平板状等に形成されるものをより低い位置に施工してもよい。
【００１８】
前記断熱材４は、例えば合成樹脂発泡板等から構成され、その内側面４ｂが前記外周立ち上がり部１の外側面１ａ及び基礎スラブ２の外側面２ａに密着し、且つ、その下面４ｄが前記捨てコンクリート５の上面５ｃに密着している。
【００１９】
この断熱材４は、外周立ち上がり部１や基礎スラブ２等に接着剤等で接着したり、あるいは断熱材４を配置した状態で基礎スラブ２等を打設する際にそのコンクリートに密着させたりすればよい。
【００２０】
なお、この実施形態では、断熱材４の下面４ｄが捨てコンクリート５に密着しているが、これに限定されるものではなく、断熱材４は捨てコンクリート５と密着していなくてもよいし、また基礎スラブ２と密着せずに外周立ち上がり部１だけに密着していてもよい。このような場合には、断熱材４のべた基礎３に密着しない面の基礎スラブ２又は外周立ち上がり部１に密着する下縁から少なくとも地上の所定高さＬまでの範囲をステンレスメッシュ７等で被覆しておけばよい。また、モルタル９等の表面材も、少なくともステンレスメッシュ７等の下縁部７ｄと基礎スラブ２又は外周立ち上がり部１との隅角部に塗布しておけばよい。
【００２１】
前記シロアリ６とは、ゴキブリに近縁の社会生活をする不完全変態の昆虫であって、シロアリ目（等翅類）Isopteraの総称である。このようなシロアリ６としては、例えば、ヤマトシロアリやイエシロアリ等の各種のシロアリが挙げられる。また、このシロアリ６は、図３に示すように、非変形性の堅い頭部６ａを有する一方、比較的柔らかくて弱い体部６ｂを有している。
【００２２】
前記ステンレスメッシュ７は、図４に示すように、シロアリ６の分泌物に耐性で且つ少なくとも約７０のショア硬度を有する耐腐食性材料であるステンレス鋼ワイヤー１１等から製織され、前記シロアリ６の頭部６ａの横断面における最大寸法Ｈの３倍以下の寸法である複数の編み目（アンカー孔）１２を有している。このようなステンレスメッシュ７としては、例えば、「ターミーメッシュ（ＴＥＲＭＩ−ＭＥＳＨ）」（商品名、ターミーメッシュ・オーストラリア社製）等を好適に使用することができる。
【００２３】
このステンレスメッシュ７は、例えば釘、ビス、ステープル等の止着部材や接着剤、あるいは断熱材４の外側面４ａへの埋設等によって、断熱材４にあらかじめ取付けられるか又は建物Ａの建築現場で取付けられる。前記止着部材を使用する場合には、この止着部材を例えば銅、亜鉛、黄銅等で構成したり、あるいは含有させたりして、シロアリ忌避効果を発揮させるようにしておいてもよい。
【００２４】
なお、シロアリバリアー材として使用されるシート材としては、このようなステンレスメッシュ７に限定されるものではなく、シロアリ６から放出されるギ酸等の分泌物に耐性で且つシロアリ６が噛み砕くことができない硬さ、好ましくは少なくとも約７０のショア硬度、又は噛み砕くことができない衝撃強さ等を有すると共に、使用環境下で数十年の耐用年数を有する耐腐食性材料で構成されていれば、種々のものを使用することができる。このようなシート材としては、例えば、セラミックス、ガラス、合成樹脂、金属等の繊維、フィラメント、ストランド等から製織又は製編等されたシートや不織布、あるいは金属板、金属シート、合成樹脂シート、ゴムシート等が挙げられる。
【００２５】
ここで、シート材が、前記編み目１２等の複数のアンカー孔を有する場合には、断熱材４に接着又は埋設する際に、アンカー効果によってこのシート材をより強固に一体化できるという利点がある。また、アンカー孔の寸法が前記最大寸法Ｈの２倍以下である場合には、シロアリ６の頭部６ａが通り抜けないか又は頭部６ａが通り抜けても柔らかい体部６ｂ等がアンカー孔に接触するような寸法であり、シロアリ６がそれを嫌うので、モルタル９等の表面材を塗布しない状態でもシロアリ６がシート材を通り抜けるのを確実に阻止できるという利点がある。更に、アンカー孔の寸法を比較的大きくできるので、シート材の材料コストを低減化できると共に、寸法精度も低くてよいために製造も簡単であるという利点がある。
【００２６】
なお、複数のアンカー孔を有するシート材としては、前記複数の編み目１２を有するステンレスメッシュ７の他、例えばアンカー孔を打ち抜いて形成したパンチングメタルや、あるいは複数のシャーリング溝によって形成されたアンカー孔を有する金属製又は合成樹脂製等のシート等が挙げられる。
【００２７】
ここで、シロアリ６が断熱材４の内部へ侵入しようとする場合には、光等に弱いために地盤１３中からしか侵入できないので、断熱材４の外側面４ａの捨てコンクリート５と密着する下縁４ｆから少なくとも地上の所定高さＬまでの範囲をステンレスメッシュ７等のシート材で被覆しておけば、断熱材４をシロアリ６による食害から保護することができる。そのため、断熱材４の内部をシロアリ６が通過して上方の軸組Ｂや床組Ｃへ侵入するのを防止できるという利点がある。
【００２８】
なお、断熱材４は、少なくとも上記の範囲を被覆しておけばよく、断熱材４の外側面４ａ全体等、必要に応じて他の範囲を被覆しておいてもよい。
【００２９】
前記モルタル９等の表面材は、少なくともセメントと細骨材とを含有しており、所定量の水を配合、混練した状態で塗布される。このような表面材としては、モルタル９の他、例えばセメントと砂等の細骨材とからなるセメント混合物に、例えばスチレンブタジエンゴム（ＳＢＲ）やポリビニル酢酸（ＰＶＡｃ）等の合成ポリマー等をベースとするセメント接着剤を添加した接着セメントや、あるいはこの接着セメントよりはセメント含有量が低いポリマーセメントと細骨材との混合物等が挙げられる。
【００３０】
前記セメントとしては、従来公知の種々のものが挙げられる。前記細骨材としては、例えば砂の他、ガラス粒子、ガラス短繊維、ガラスウィスカー等が挙げられる。
【００３１】
ここで、表面材に前記セメント接着剤等のポリマーを添加した場合には、表面材の強度、耐クラック性、接着性、水密性、耐摩耗性等を向上できるという利点がある。なお、前記セメント混合物としては、細骨材２〜３部に対してセメント１部程度の高いセメント含有量のものであることが望ましい。
【００３２】
更に、表面材には、必要に応じてシロアリ忌避剤を添加することもでき、この場合には、表面材がシロアリによって噛み破られる可能性をより低下させることができるという利点がある。なお、シロアリ忌避剤としては、例えば、亜鉛や銅、あるいは亜鉛化合物や銅化合物等が挙げられる。
【００３３】
前記セメントは、ステンレスメッシュ７や捨てコンクリート５等と細骨材とをつなぐものであり、ステンレスメッシュ７等のシート材やコンクリート表面への接着性を付与するものである。
【００３４】
前記細骨材としては、前記編み目１２等のアンカー孔を通過できる大きさのものが好ましいが、余りに細かすぎるものは適当ではない。これは、細骨材同士又は細骨材とステンレスメッシュ７や捨てコンクリート５等との距離が実質的に前記最大寸法Ｈの２倍以下となってシロアリ６の通過を防止するためである。なお、細骨材の配合量としては、特に限定されるものではなく、表面材がシロアリ６によって噛み破られないようにその大きさに応じて充分な量を配合しておけばよい。
【００３５】
このように、少なくともステンレスメッシュ７等のシート材の下縁部７ｄと捨てコンクリート５等との隅角部８にモルタル９等の表面材を塗布しておけば、シート材の下縁部７ｄと捨てコンクリート５等との間に隙間が形成されないので、断熱材４の内部へのシロアリ６の侵入を確実に防止できるという利点がある。
【００３６】
また、表面材を、前記隅角部８から少なくともシート材の上縁部７ｃまでの範囲に塗布する場合には、この実施形態のように、前記最大寸法Ｈの３倍以下の寸法である複数のアンカー孔を有するシート材を使用することができる。即ち、表面材に配合される細骨材同士又は細骨材とシート材との距離が実質的に前記最大寸法Ｈの２倍以下となってシロアリ６が通過できなくなるので、この場合も断熱材４の内部へのシロアリの侵入を防止できるという利点がある。なお、アンカー孔の寸法が前記最大寸法Ｈの３倍を超える場合には、シロアリ６が通過する可能性があるので、このようなシート材を使用するのは好ましくない。
【００３７】
更に、表面材を、前記隅角部８から断熱材４の外側面４ａの上縁４ｅまでの範囲に塗布する場合には、上記のように断熱材４の内部へのシロアリ６の侵入を防止できると共に、断熱材４の外側面４ａ等のモルタル９等による仕上げを行うことができるという利点がある。
【００３８】
図５及び図６に示すように、第２実施形態に係る建物Ａの防蟻構造は、例えば、建物Ａの基礎スラブ２２の外側面２２ａに密着した断熱材４の内部をシロアリ６が通過して、前記基礎スラブ２２上に設置された軸組Ｂ及び床組Ｃへ侵入するのを物理的に防止するものであって、前記断熱材４の外側面４ａ全体をステンレスメッシュ７で被覆すると共に、このステンレスメッシュ７の下縁部７ｄと前記基礎スラブ２２の下方に施工された捨てコンクリート２５との隅角部２８から前記断熱材４の外側面４ａの上縁４ｅまでの範囲にモルタル９を塗布したものである。
【００３９】
なお、この実施形態でも、断熱材４の下面４ｄが捨てコンクリート２５に密着しているが、これに限定されるものではなく、断熱材４は捨てコンクリート２５と密着していなくてもよい。また、断熱材４の外側面４ａ全体をシート材で被覆しておかなくてもよい。即ち、断熱材４の基礎スラブ２２に密着しない面のこの基礎スラブ２２に密着する下縁から少なくとも地上の所定高さまでの範囲をステンレスメッシュ７等で被覆しておけばよい。また、モルタル９等の表面材も、少なくともステンレスメッシュ７等の下縁部７ｄと基礎スラブ２２との隅角部に塗布しておけばよい。
【００４０】
このように、断熱材４の外側面４ａ全体をシート材で被覆すると共に、このシート材の下縁部７ｄと捨てコンクリート２５等との隅角部２８から前記断熱材４の外側面４ａの上縁４ｅまでの範囲にモルタル９等の表面材を塗布しておけば、第１実施形態と同様、断熱材４の内部へのシロアリ６の侵入を確実に防止できると共に、断熱材４の外側面４ａ等のモルタル９等による仕上げを行うことができるという利点がある。
【００４１】
図７及び図８に示すように、第３実施形態に係る建物Ａの防蟻構造は、例えば、建物Ａの外周部分に施工された布基礎３３の立ち上がり部３１の外側面３１ａに密着した断熱材４の内部をシロアリ６が通過して軸組Ｂ及び床組Ｃへ侵入するのを物理的に防止するものであって、前記断熱材４の布基礎３３に密着しない面のこの布基礎３３のベース部３２と密着する下縁４ｆから地上の所定高さＬまでの範囲をステンレスメッシュ７で被覆すると共に、このステンレスメッシュ７の下縁部７ｄと前記ベース部３２との隅角部３８から前記断熱材４の外側面４ａの上縁４ｅまでの範囲にモルタル９を塗布したものである。
【００４２】
前記布基礎３３は、建物Ａの外周部分に平面視で例えば矩形状等に施工され、立ち上がり部３１とベース部３２とから横断面が例えば逆Ｔ字状に形成されている。
【００４３】
なお、この実施形態でも、断熱材４の下面４ｄがベース部３２に密着しているが、これに限定されるものではなく、断熱材４はベース部３２と密着していなくてもよい。この場合は、断熱材４の布基礎３３に密着しない面の立ち上がり部３１に密着する下縁から少なくとも地上の所定高さＬまでの範囲をステンレスメッシュ７等で被覆しておけばよい。また、モルタル９等の表面材も、少なくともステンレスメッシュ７等の下縁部７ｄと立ち上がり部３１との隅角部に塗布しておけばよい。
【００４４】
このように、断熱材４の上記の範囲をシート材で被覆すると共に、このシート材の下縁部７ｄと布基礎３３との隅角部３８から前記断熱材４の外側面４ａの上縁４ｅまでの範囲にモルタル９等の表面材を塗布しておけば、第１及び第２実施形態と同様の効果がある。
【００４５】
なお、この実施形態では、立ち上がり部３１の外側面３１ａに断熱材４を密着させているが、これに限定されるものではなく、立ち上がり部３１の内側面３１ｂ、又は外側面３１ａと内側面３１ｂの両方に断熱材４を密着させておいてもよい。
【００４６】
立ち上がり部３１の内側面３１ｂに断熱材４を密着させ、前記隅角部３８等のみにモルタル９等の表面材を塗布する場合において、複数のアンカー孔を有するシート材を使用するときには、シロアリ６がアンカー孔を通過しないように、その寸法を前記最大寸法Ｈの２倍以下としておけばよい。
【００４７】
更に、布基礎３３の内方には間仕切基礎等の布基礎３９を設けているが、これに限定されるものではなく、他に例えば束基礎等の独立基礎や束石等を設けておいてもよい。また、布基礎３３の内方に盛り上げた盛土４０や目潰し砂利４１等によりこの布基礎３３の天端面３３ｃとその上面４２ｃとが略同じ高さとなるように土間床４２が施工されているが、この土間床４２も、より低い位置に施工してもよい。また、立ち上がり部３１の内側面３１ｂに断熱材４を密着させる場合には、シート材の上縁部７ｃは、前記土間床４２に接着又は埋設等して取付けたり、あるいは断熱材４の布基礎３３に密着しない面である内側面４ｂや上面４ｃ等を被覆したりしておくのが望ましい。
【００４８】
加えて、土間床４２と布基礎３３との打ち継ぎ部分４３や、土間床４２と布基礎３３の内方に設けられた布基礎３９等との打ち継ぎ部分４４においては、これら打ち継ぎ部分４３，４４からのシロアリ６の侵入を防止するために、打ち継ぎ部分４３，４４を閉塞するようにしてシート材をそれぞれ取付けておくのが望ましい。
【００４９】
布基礎３３の内方に土間床４２を施工しない場合には、この土間床４２に代えて、布基礎３３の内方に形成される床下空間の防湿を図ること等を目的として、必要に応じて防湿シート等を敷設すると共に、その上から例えば捨てコン、乾燥砂、乾燥砂利等の押さえ層等を設けておいてもよい。
【００５０】
【発明の効果】
以上のように、請求項１の発明によれば、前記断熱材の外側面の前記捨てコンクリートと密着する下縁から少なくとも地上の所定高さまでの範囲を前記シート材で被覆しているので、断熱材をシロアリによる食害から保護することができる。そのため、断熱材の内部をシロアリが通過して上方の軸組や床組へ侵入するのを防止できるという利点がある。
【００５１】
請求項２の発明によれば、前記断熱材のべた基礎に密着しない面のこのべた基礎又は前記捨てコンクリートと密着する下縁から少なくとも地上の所定高さまでの範囲を前記シート材で被覆すると共に、少なくとも前記シート材の下縁部とべた基礎又は捨てコンクリートとの隅角部に前記表面材を塗布しているので、シート材の下縁部とべた基礎等との間に隙間が形成されない。そのため、請求項１の効果に加え、断熱材の内部へのシロアリの侵入を確実に防止できるという利点がある。
【００５２】
請求項３の発明によれば、前記断熱材の基礎スラブに密着しない面のこの基礎スラブ又は前記捨てコンクリートと密着する下縁から少なくとも地上の所定高さまでの範囲を前記シート材で被覆すると共に、少なくとも前記シート材の下縁部と基礎スラブ又は捨てコンクリートとの隅角部に前記表面材を塗布しているので、シート材の下縁部と基礎スラブ等との間に隙間が形成されない。そのため、請求項１の効果に加え、断熱材の内部へのシロアリの侵入を確実に防止できるという利点がある。
【００５３】
請求項４の発明によれば、前記断熱材の布基礎に密着しない面のこの布基礎と密着する下縁から少なくとも地上の所定高さまでの範囲を前記シート材で被覆すると共に、少なくとも前記シート材の下縁部と布基礎との隅角部に前記表面材を塗布しているので、シート材の下縁部と布基礎との間に隙間が形成されない。そのため、請求項１の効果に加え、断熱材の内部へのシロアリの侵入を確実に防止できるという利点がある。
【００５４】
請求項５の発明によれば、前記シート材が複数のアンカー孔を有するので、断熱材に接着又は埋設する際に、アンカー効果によってこのシート材をより強固に一体化できるという利点がある。また、アンカー孔の寸法が少なくともいずれかの方向において前記シロアリの頭部横断面の最大寸法の２倍以下であって、シロアリの頭部が通り抜けないか又は頭部が通り抜けても柔らかい体部等がアンカー孔に接触するような寸法であり、シロアリがそれを嫌うので、モルタル等の表面材を塗布しない状態でもシロアリがシート材を通り抜けるのを確実に阻止できるという利点がある。更に、アンカー孔の寸法を比較的大きくできるので、シート材の材料コストを低減化できると共に、寸法精度も低くてよいために製造も簡単であるという利点がある。
【００５５】
請求項６の発明によれば、前記表面材を、前記隅角部から少なくとも前記シート材の上縁部までの範囲に塗布しているので、前記シロアリの頭部横断面の最大寸法の３倍以下の寸法である複数のアンカー孔を有するシート材を使用することができる。そのため、シート材の製造コストをより低減化できるという利点がある。
【００５６】
請求項７の発明によれば、前記表面材を、前記隅角部から前記断熱材の外側面の上縁までの範囲に塗布しているので、断熱材の外側面等のモルタル等による仕上げを行うことができるという利点がある。
【図面の簡単な説明】
【図１】第１実施形態に係る建物の防蟻構造の縦断面図。
【図２】図１の断熱材付近の要部拡大縦断面図。
【図３】  (a) はシロアリの平面図、(b) は(a) のＹ−Ｙ線断面図。
【図４】ステンレスメッシュの要部拡大平面図。
【図５】第２実施形態に係る建物の防蟻構造の縦断面図。
【図６】図５の断熱材付近の要部拡大縦断面図。
【図７】第３実施形態に係る建物の防蟻構造の縦断面図。
【図８】図７の断熱材付近の要部拡大縦断面図。
【符号の説明】
Ａ  建物
Ｂ  軸組
Ｃ  床組
１  外周立ち上がり部
１ａ  外側面
２  基礎スラブ
２ａ  外側面
３  べた基礎
４  断熱材
４ａ  外側面
４ｂ  内側面
４ｄ  下面
４ｅ  上縁
４ｆ  下縁
５  捨てコンクリート
５ｃ  上面
６  シロアリ
６ａ  頭部
７  ステンレスメッシュ（シート材）
７ｃ  上縁部
７ｄ  下縁部
８  隅角部
９  モルタル（表面材）
１２  編み目（アンカー孔）
２２  基礎スラブ
２２ａ  外側面
２５  捨てコンクリート
２８  隅角部
３１  立ち上がり部
３１ａ  外側面
３１ｂ  内側面
３３  布基礎
３８  隅角部
【図１】
0004196140.tif 000002
【図２】
0004196140.tif 000003
【図３】
0004196140.tif 000004
【図４】
0004196140.tif 000005
【図５】
0004196140.tif 000006
【図６】
0004196140.tif 000007
【図７】
0004196140.tif 000008
【図８】
0004196140.tif 000009